(57)【要約】【課題】  ごみ袋止め具を用いてもごみ箱の積層を可能にしたごみ箱およびそれに使用されるごみ袋止め具を提供することを目的とする。【解決手段】  ごみ箱１の開口部７近傍の内側あるいは外側もしくは上面に、前記開口部７に沿ってごみ袋止め具４が係止挿入されるリング状溝２を形成したことにより、ごみ箱１にごみ袋８の上部端縁を確実に係止・保持させてごみ袋８を使用した場合でも、ごみ袋止め具４がリング状溝内２に収容されることになるので、ごみ箱１あるいはごみ投入枠体等を介したごみ箱１の積層等が容易となり、多種類のごみの分別に対応可能となる。【選択図】  図１
2006282358.tif 000002
【特許請求の範囲】
【請求項１】
ごみ箱の開口部近傍の内側あるいは外側もしくは上面に、前記開口部に沿ってごみ袋止め具が係止挿入されるリング状溝を形成したことを特徴とするごみ箱。
【請求項２】
前記リング状溝に、該リング状溝よりも幅広の摘み部を形成したことを特徴とする請求項１に記載のごみ箱。
【請求項３】
前記リング状溝が、該リング状溝に係止挿入されるごみ袋止め具の径以上の深さを有することを特徴とする請求項１または２に記載のごみ箱。
【請求項４】
前記ごみ箱を薄板から構成する場合には、前記リング状溝を形成するために反対側の面が膨出形成されることを特徴とする請求項３に記載のごみ箱。
【請求項５】
前記ごみ箱の開口部にごみ袋の上部端縁を保持させるために使用される無端状のごみ袋止め具であって、該ごみ袋止め具を前記ごみ箱の開口部の平面視形状に整合する形状に構成するとともに、硬質部と弾性部とを交互配置構成としたことを特徴とする前記ごみ箱に使用されるごみ袋止め具。
【請求項６】
前記ごみ袋止め具が、平面視方形ないし多角形のごみ箱と組み合わされる場合には、硬質部がごみ箱の角部形状に沿って跨がって形成されたことを特徴とする請求項５に記載の前記ごみ箱に使用されるごみ袋止め具。
【発明の詳細な説明】
【技術分野】
【０００１】
本発明は、ごみ袋の上部端縁を係止・保持させるようにしたごみ箱およびそれに使用されるごみ袋止め具に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そこで、比較的小さなごみ箱を積み重ねてごみの分別を可能にしたものが提案された（例えば下記特許文献１参照）。また、ごみ箱に直接にごみを投入廃棄すると、汚れたごみ箱の清掃が面倒であるところから、ビニール袋等のごみ袋の上部端縁をごみ箱の開口近傍に係止・保持させるように構成したものも提案された（例えば下記特許文献２参照）。
【特許文献１】特開平８−１３３４０９号公報（請求項１および図２参照）
【特許文献２】特開２００３−３２７２２２号公報（請求項１参照）
【発明の開示】
【発明が解決しようとする課題】
【０００３】
前記特許文献１に開示されたごみ箱は、図８に示すように、格別にごみ投入口を形成していない汎用のごみ箱１１３と１０１（下部のごみ箱１０１はやや特殊な形状をしているが）を蓋体１０２を介して上下に積層される。蓋体１０２の前方には、回転扉１０４で覆われたごみ投入口１０５が形成されているため、上下のごみ箱１１３と１０１とが積層されていても、このごみ投入口１０５を介して下部のごみ箱１０１にごみを投入廃棄することができる。１１１は上部ごみ箱１１３の蓋である。また、下部ごみ箱１０１の下端に配設されたペダル１０８を踏むことによって、縦溝１１５、スロット１１７、縦溝１１６内に配設されたレバー（図示省略）によって、前記上端部の蓋１１１を開閉することができる。
【０００４】
このような積重ね式の分別ごみ箱により、ある程度の種類のごみの分別が可能となったものの、今後予想されるさらに多種類のごみの分別に対応するには、多段にごみ容器を積み重ねる必要があって、転倒の危険性が高まり実用的ではない。しかも、ごみ容器を積み重ねる場合に、下部のごみ箱の形状が特殊な形状となりがちであり、汎用のごみ箱を積層形態とすることは困難であった。また、ごみ投入口が前面に１か所形成されているだけで、ごみの投入のために正面に廻り込む必要があった。
【０００５】
また、前記特許文献２に開示されたごみ袋キャッチャーは、図９に示すように、押し広がろうとするばね力を利用したバンド３１に、ごみ箱３６の上縁に掛けるフック３２と、ごみ袋を仮止めするためのキャッチャー３３を設けたものである。このように構成することで、広がろうとするばね力を利用して、キャッチャー３３に仮止めされたごみ袋をごみ箱３６の内側に確実に固定することができる。しかも、外側からごみ袋が見えないので見栄えがよい。しかしながら、このようなごみ袋キャッチャーにあって、ごみ箱の上縁開口から、前記バンド３１に設けられたフック３２やハンドル３４がはみ出して装着されることから、ごみの分別のために、ごみ箱３６を上下に積層することは、これらのフック３２やハンドル３４が邪魔となり到底不可能であった。
【０００６】
そこで本発明では、前記従来の積重ね式の分別ごみ箱におけるせいぜい２種類程度の限られた分別機能を飛躍的に拡大でき、ごみ袋止め具を用いてもごみ箱の積層を可能にしたごみ箱およびそれに使用されるごみ袋止め具を提供することを目的とする。
【課題を解決するための手段】
【０００７】
そのため本発明は、ごみ箱の開口部近傍の内側あるいは外側もしくは上面に、前記開口部に沿ってごみ袋止め具が係止挿入されるリング状溝を形成したことを特徴とする。また本発明は、前記リング状溝に、該リング状溝よりも幅広の摘み部を形成したことを特徴とする。また本発明は、前記リング状溝が、該リング状溝に係止挿入されるごみ袋止め具の径以上の深さを有することを特徴とする。また本発明は、前記ごみ箱を薄板から構成する場合には、前記リング状溝を形成するために反対側の面が膨出形成されることを特徴とする。また本発明は、前記ごみ箱の開口部にごみ袋の上部端縁を保持させるために使用される無端状のごみ袋止め具であって、該ごみ袋止め具を前記ごみ箱の開口部の平面視形状に整合する形状に構成するとともに、硬質部と弾性部とを交互配置構成としたことを特徴とする。また本発明は、前記ごみ袋止め具が、平面視方形ないし多角形のごみ箱と組み合わされる場合には、硬質部がごみ箱の角部形状に沿って跨がって形成されたことを特徴とするもので、これらを課題解決のための手段とするものである。
【発明の効果】
【０００８】
本発明では、ごみ箱の開口部近傍の内側あるいは外側もしくは上面に、前記開口部に沿ってごみ袋止め具が係止挿入されるリング状溝を形成したことにより、ごみ箱にごみ袋の上部端縁を確実に係止・保持させてごみ袋を使用した場合でも、ごみ袋止め具がリング状溝内に収容されることになるので、ごみ箱あるいはごみ投入枠体等を介したごみ箱の積層等が容易となり、多種類のごみの分別に対応可能となる。
【０００９】
また、前記リング状溝に、該リング状溝よりも幅広の摘み部を形成した場合は、リング状溝に収容されごみ袋止め具を容易に摘んでごみ袋を取り外すことが可能となり、ごみの廃棄やごみ箱の清掃が容易にできる。さらに、前記リング状溝が、該リング状溝に係止挿入されるごみ袋止め具の径以上の深さを有する場合は、ごみ箱あるいはごみ投入枠体等を介したごみ箱の積層等の際に、積層のための連結部の嵌合公差が僅差であっても、リング状溝に収納されたごみ袋止め具と干渉することがなく、がたつくことのない積層が可能となる。
【００１０】
さらにまた、前記ごみ箱を薄板から構成する場合には、前記リング状溝を形成するために反対側の面が膨出形成される場合は、軽量な薄板であっても、ごみ箱あるいはごみ投入枠体等を介したごみ箱の積層等が容易となる。ごみ箱の外周側にリング状溝を形成することで内周側に膨出部が形成される場合には、該膨出部をごみ箱あるいはごみ投入枠体の嵌合底部の位置決め台座を兼用させることもできる。また、前記ごみ箱の開口部にごみ袋の上部端縁を保持させるために使用される無端状のごみ袋止め具であって、該ごみ袋止め具を前記ごみ箱の開口部の平面視形状に整合する形状に構成するとともに、硬質部と弾性部とを交互配置構成とした場合は、弾性部により自由に取付け径を選定でき、硬質部により確実にごみ袋の上部端縁をごみ箱のリング状溝内に係止・保持することができる。
【００１１】
さらに、前記ごみ袋止め具が、平面視方形ないし多角形のごみ箱と組み合わされる場合には、弾性部の存在によりごみ箱の異なったサイズにも充分対応可能でありながら、硬質部がごみ箱の角部形状に沿って跨がって形成されたことにより、角部形状に沿って跨がって形成された硬質部が、さらに確実にごみ袋の上部端縁をごみ箱のリング状溝内に係止・保持することができる。
【発明を実施するための最良の形態】
【００１２】
以下、本発明の実施例を図面に基づいて詳細に説明する。図１は本発明のごみ箱およびそれに使用されるごみ袋止め具の第１実施例を示すもので、方形ごみ箱の内側にごみ袋が係止・保持されるものの斜視図および要部断面図、図２は本発明の第２実施例を示すもので、方形ごみ箱の外側にごみ袋が係止・保持されるものの斜視図および要部断面図、図３は本発明の第３実施例を示すもので、円形ごみ箱の内側にごみ袋が係止・保持されるものの斜視図、図４は本発明の第４実施例を示すもので、ごみ投入口が設けられたごみ箱に適用された斜視図、図５は本発明の第５実施例を示すもので、円形ごみ箱の上面にごみ袋が係止・保持されるものの斜視図および断面図ならびに積層状態の断面図、図６は本発明の第６実施例を示すもので、投入枠体を介した積層および併置しての横連結可能な構造体の斜視図、図７は本発明の第７実施例を示すもので、引出し可能なごみ箱にごみ袋を係止・保持可能に構成したものの斜視図である。
【実施例１】
【００１３】
本発明の基本的な構成は、図１（Ａ）に示すように、ごみ箱１の開口部７近傍の内側あるいは外側もしくは上面に（図示の第１実施例では内側）、前記開口部７に沿ってごみ袋止め具４が係止挿入されるリング状溝２を形成したことを特徴とする。本実施例では、比較的薄板から構成される平面視で方形のごみ箱１とされ、前記リング状溝２を形成するために反対側の外側面が膨出形成される。したがって、軽量な薄板であっても、後述するように、ごみ箱あるいはごみ投入枠体等を介したごみ箱の積層等が容易となる。ごみ箱１の開口部７の近傍の上部内側にほぼ水平状に、断面円弧状のリング状溝２が形成され、各辺の略中央部には、リング状溝２の幅広の摘み部３が形成され、リング状溝２に収容されごみ袋止め具４を容易に摘んでごみ袋８を取り外すことが可能となり、ごみの廃棄やごみ箱１の清掃が容易にできる。
【００１４】
ごみ袋止め具４は、全体として、ごみ箱１の平面視形状に整合しており、硬質部５と弾性部６とを交互配置構成としている。弾性部６により自由に取付け径を選定でき、硬質部５により確実にごみ袋の上部端縁をごみ箱１のリング状溝２内に係止・保持することができる。硬質部５は図示の例では断面円形で鋼材やステンレスあるいはプラスチック等適宜の材質のものが採用され得る。また弾性部６としては、コイルスプリングや紐状ゴム等が採用できる。図１（Ａ）に示すように、コイルスプリング等の弾性部６により矢印のように拡張勝手なごみ袋止め具４を縮径させた上で、ごみ袋８の上部端縁をリング状溝２内に挟持させて、ごみ袋８を係止・保持させて取り付ける。図１（Ｂ）に示すように、前記リング状溝２は、該リング状溝２に係止挿入されるごみ袋止め具４の径以上の深さを有し、ごみ箱１あるいはごみ投入枠体等を介したごみ箱１の積層等の際に、積層のための連結部の嵌合公差が僅差であっても、リング状溝２に収納されたごみ袋止め具４と干渉することがなく、がたつくことのない積層が可能となる。
【００１５】
前記ごみ袋止め具４は、平面視方形のごみ箱１と組み合わされており、弾性部６の存在によりごみ箱１の異なったサイズにも充分対応可能でありながら、ごみ箱１の直角の角部形状に跨がって硬質部５が形成されている。これにより、角部形状に沿って跨がって形成された硬質部５が、さらに確実にごみ袋８の上部端縁をごみ箱１のリング状溝２内に係止・保持することができる。
【実施例２】
【００１６】
図２は本発明の第２実施例を示すもので、方形ごみ箱の外側にごみ袋が係止・保持されるものの斜視図および要部断面図である。本実施例のものは、比較的厚い板材からごみ箱が構成されたもので、ごみ箱１の開口部７近傍の外側に、前記開口部７に沿ってごみ袋止め具４が係止挿入されるリング状外溝１２を形成したものである。符号１３は摘み部である。図２（Ａ）に示すように、コイルスプリング等の弾性部６により矢印のように縮径勝手なごみ袋止め具４を拡径させた上で、ごみ袋８の上部端縁をリング状溝２内に挟持させて、ごみ袋８を係止・保持させて取り付ける。図２（Ｂ）に示すように、前記リング状溝２の深さは浅く、該リング状溝２に係止挿入されるごみ袋止め具４は一部が外周面から露出する。ごみ箱１あるいはごみ投入枠体等を介したごみ箱１の積層等の際には、積層のための連結部が内周側にあるので、リング状溝２に収納されたごみ袋止め具４と干渉することはない。
【実施例３】
【００１７】
図３は本発明の第３実施例を示すもので、円形ごみ箱の内側にごみ袋が係止・保持されるものの斜視図である。本実施例は円形ごみ箱１と組み合わされたごみ袋止め具４を有する。前記図１の第１実施例のものと同様に、コイルスプリング等の弾性部６により拡張勝手なごみ袋止め具４を縮径させた上で、ごみ袋８の上部端縁をリング状溝２内に挟持させて、ごみ袋８を係止・保持させて取り付ける。本実施例では、硬質部５および弾性部６が円弧状を呈しており、円弧状の硬質部６が広範囲でごみ袋８の上部端縁をリング状溝２内に面接触にて押し付けるため、面圧が低くなり、ごみ袋８の上部端縁を損傷させることがない。
【実施例４】
【００１８】
図４は本発明の第４実施例を示すもので、ごみ投入口が設けられたごみ箱に適用された斜視図である。図４（Ａ）（Ｂ）のいずれのものも円形のごみ箱１に適用されたもので、ごみ投入口９の下方の内側にリング状溝２が刻設されている。このリング状溝２に対して、コイルスプリング等の弾性部６により拡張勝手なごみ袋止め具４を縮径させた上で、ごみ袋（図示省略）の上部端縁をリング状溝２内に挟持させて、ごみ袋を係止・保持させて取り付ける。図４（Ａ）の例は、ごみ投入口９の上部が蓋部材１０により閉塞されたものである。図４（Ｂ）の例は、同様の構成のごみ箱１を上下に積層するために、上方が開放構成とされている。本実施例では、ごみ投入枠体を介することなく、ごみ箱１同士を積層するものであっても、ごみ袋をごみ箱１内に確実に係止・保持させることができる。
【実施例５】
【００１９】
図５は本発明の第５実施例を示すもので、円形ごみ箱の上面にごみ袋が係止・保持されるものの斜視図および断面図ならびに積層状態の断面図である。本実施例のものは、図５（Ａ）に示すように、ごみ箱１の上面にリング状溝２を形成したものである。したがって、図５（Ｂ）に示すように、円弧状の硬質部５と弾性部６とで構成されるごみ袋止め具４を、ごみ袋８の上部端縁を挟持して前記リング状溝２に収納する。本実施例では、硬質部５の曲率は所定値に定まっており、特定のごみ箱１とセットで組み合わされることになる。弾性部６は、ごみ袋８の上部端縁を内周あるいは外周側に押圧するために、僅かに伸縮すればよい。図５（Ｃ）はリング状溝２にてごみ袋８の上部端縁がごみ袋止め具４により係止・保持された状態の開口部に、上部のごみ箱１の嵌合底部１１が嵌合して積層される状態を示している。リング状溝２は充分な深さを有しており、ごみ袋止め具４が上部のごみ箱１の底部と干渉することはない。
【実施例６】
【００２０】
図６は本発明の第６実施例を示すもので、投入枠体を介した積層および併置しての横連結可能な構造体の斜視図である。本実施例のものは、円形の複数のごみ箱１をごみ投入枠体２０を介して上下に積層すると同時に、横連結部材２４、２５を介して横方向に併置連結する例である。前記図３の第３実施例のものと同様に、各ごみ箱１の開口部７の近傍の内周にリング状溝２が刻設されており、ごみ袋８の上部端縁がごみ袋止め具４により係止・保持されている。このようなごみ箱１の開口部７に、ごみ投入枠体２０の下部の嵌合底部２１が嵌合されて積層される。ごみ投入枠体２０の上部の嵌合開口部２２には、上部に積層されるごみ箱１の嵌合底部１１が嵌合される。ごみ投入枠体２０の周面には複数（できれば四方から投入可能な個数）のごみ投入口２３が形成され、積層された下部のごみ箱１へのごみ投入を可能にする。
【００２１】
前記リング状溝２は、該リング状溝２に係止挿入されるごみ袋止め具４の径以上の深さを有し、ごみ箱１あるいはごみ投入枠体２０等を介したごみ箱１の積層等の際に、積層のための連結部の嵌合公差が僅差であっても、リング状溝２に収納されたごみ袋止め具４と干渉することがなく、がたつくことのない積層が可能となる。また、ごみ箱１の側面には、好適にはごみ箱の高さの半分以上の横連結部材２４、２５が設置される。横連結部材は、Ｌ字形部材を対向させて構成した雌横連結部材２４と、Ｔ字形部材から構成された雄横連結部材２５とから構成される。雌横連結部材２４に対して雄横連結部材２５を上方からスライドさせて連結することで、隣接するごみ箱１同士を横方向に併置連結することができる。このように、ごみ箱１を横方向に併置連結することで、ごみ箱１の上下方向の積層により生じる不安定さをなくすことができる。
【実施例７】
【００２２】
図７は本発明の第７実施例を示すもので、引出し可能なごみ箱にごみ袋を係止・保持可能に構成したものの斜視図である。枠体１４に対して上方が開放した方形の引出しごみ箱１５がスライド自在に配設される。引出しごみ箱１５の上部が切り欠かれて切欠部１６が形成され、該切欠部１６に方形の保持枠１７が設置される。該保持枠１７の外周面にはリング状外溝１８が形成され、上面には径大頭部を有する多数の鋲部材１９が所定間隔毎に設置される。このような構成により、本実施例の引出しごみ箱１５では、多数の鋲部材１９の適宜をのものを選定して組み合わせて用いることにより、適宜サイズのごみ袋の複数個を引出しごみ箱１５内にて分別収容できる他、保持枠１７の外周面のリング状外溝１８に前記図２の第２実施例のもののようなごみ袋止め具４を用いて、大きなごみ袋を係止・保持させることが可能となる。鋲部材１９は、保持枠１７の上面に穿設された穴に挿入設置される。１９Ａは位置決めストッパで鋲部材１９を適切な深さに設置できる。
【００２３】
以上、本発明の実施例について説明してきたが、本発明の趣旨の範囲内にて、使用するごみ袋の形状、形式（ポリ袋、紙袋、フレコンパック等）、ごみ箱の形状（実施例では側面視形状はストレート形状であるが、上方に末広がりであってもよい。平面視形状についても、円形、楕円形、方形、多角形等）、形式（通常の床設置型、引出し型、揺動格納型等、板厚についても、溝深さよりも充分に大きいものから、軽量化のために薄板から構成してもよい。その場合のリング状溝を形成した反対側の面の膨出形態も適宜とされる）および材質（木、プラスチック、鋼材、軽金属等）、リング状溝の断面形状（円弧状、方形状、幅に対する深さ比率等、また断面開口部を狭くして抜止め構造とすることもできる）および摘み部の形状（指によりごみ袋止め具が摘めれば、いかなる形状でもよい）、リング状溝が形成されるごみ箱の部位（開口部近傍が好適であるが、第４実施例のものようにごみ投入口があるものの場合は開口部より充分に離れた部位に形成される。ごみ箱の内側あるいは外側もしくは上面）、ごみ袋止め具の形状（平面視形状はごみ箱の平面視形状に整合する、円形、楕円形、方形、多角形等。断面についても、円形、角形、多角形等）、形式および材質（硬質部は金属、プラスチック等。軟質部は金属のコイルスプリングやゴム等でもよい）等についても適宜選定できる。
【図面の簡単な説明】
【００２４】
【図１】本発明のごみ箱およびそれに使用されるごみ袋止め具の第１実施例を示すもので、方形ごみ箱の内側にごみ袋が係止・保持されるものの斜視図および要部断面図である。
【図２】本発明の第２実施例を示すもので、方形ごみ箱の外側にごみ袋が係止・保持されるものの斜視図および要部断面図である。
【図３】本発明の第３実施例を示すもので、円形ごみ箱の内側にごみ袋が係止・保持されるものの斜視図である。
【図４】本発明の第４実施例を示すもので、ごみ投入口が設けられたごみ箱に適用された斜視図である。
【図５】本発明の第５実施例を示すもので、円形ごみ箱の上面にごみ袋が係止・保持されるものの斜視図および断面図ならびに積層状態の断面図である。
【図６】本発明の第６実施例を示すもので、投入枠体を介した積層および併置しての横連結可能な構造体の斜視図である。
【図７】本発明の第７実施例を示すもので、引出し可能なごみ箱にごみ袋を係止・保持可能に構成したものの斜視図である。
【図８】第１従来例のごみ箱の分解斜視図である。
【図９】第２従来例のごみ袋キャッチャーの説明図である。
【符号の説明】
【００２５】
１      ごみ箱
２      リング状溝
３      摘み部
４      ごみ袋止め具
５      硬質部
６      弾性部
７      開口部
８      ごみ袋
９      ごみ投入口
【図１】
2006282358.tif 000003
【図２】
2006282358.tif 000004
【図３】
2006282358.tif 000005
【図４】
2006282358.tif 000006
【図５】
2006282358.tif 000007
【図６】
2006282358.tif 000008
【図７】
2006282358.tif 000009
【図８】
2006282358.tif 000010
【図９】
2006282358.tif 000011